(57)【特許請求の範囲】
【請求項１】
蓋体及び容器本体と、ロール状物の芯管を嵌入させるか又はロール状物の芯管内に嵌入する帽筒部とその下端から外方に延設された鍔部とからなる２個のハット型保持板からなり、前記容器本体の対向する側壁内側又は側壁内側と底部内側に、前記ハット型保持板を支持、固定するための凹溝からなる支持部を少なくとも２個設けたことにより、前記ロール状物の長さに応じて選択されたいずれかの支持部で前記ハット型保持板を保持、固定させるようにしたことを特徴とするロール状物用容器。
【請求項２】
ハット型保持板が複数個の帽筒部を有する請求項１記載のロール状物用容器。
【請求項３】
ハット型保持板の鍔部のロール状物と接する側にクッション材を設けた請求項１又は２記載のロール状物用容器。
【請求項４】
凹溝からなる支持部が２条の突条筋からなる請求項１〜３のいずれか１項に記載の容器。
【請求項５】
凹溝からなる支持部が２条の突条筋と連結部とからなる成形体よりなる請求項１〜３のいずれか１項に記載の容器。
【発明の詳細な説明】
【０００１】
【発明の属する技術分野】
本発明は、ロール状物用容器に関し、更に詳しくは、１種の容器でサイズの異なる多種のロール状物を収容し、保管や運搬に供するための容器に関する。
【０００２】
【従来の技術】
従来、図１５に示したように、芯管２１にドライレジスト等のフィルム２２を巻回してなるロール状物２３のサイズに合わせて段ボール箱２４を準備し、ロール状物２３より突き出た芯管２１の両側にプロテクター２５を当接して、ロール状物２３を箱の床面から浮かせた状態で収容し、保管や輸送に供されていた。
【０００３】
【発明が解決しようとする課題】
しかしながら、上記の如き構成では、ロール状物のサイズに合わせて多種類のダンボール箱を用意する必要があり、コストアップの要因になっていた。また、ダンボール箱の在庫が多くなり、また在庫管理や保管が面倒であるという問題を有していた
【０００４】
また、この場合、紙資源の節約の観点からは、プラスチックの箱（特に、折り畳みコンテナ）にシフトすることも考えられるが、多種類を用意せざるを得ないという前述の欠点に加え、更にコストアップにつながるという問題があった。
【０００５】
本発明は、１種類のサイズの箱で大小サイズの異なる多種類のロール状物の収容を可能とするための容器を提供することを目的とする。
【０００６】
【課題を解決するための手段】
上記目的を達成するために、本発明の請求項１は、蓋体及び容器本体と、ロール状物の芯管を嵌入させるか又はロール状物の芯管内に嵌入する帽筒部とその下端から外方に延設された鍔部とからなる２個のハット型保持板からなり、前記容器本体の対向する側壁内側又は側壁内側と底部内側に、前記ハット型保持板を支持、固定するための凹溝からなる支持部を少なくとも２個設けたことにより、前記ロール状物の長さに応じて選択されたいずれかの支持部で前記ハット型保持板を保持、固定させるようにしたことを特徴とするロール状物用容器を内容とするものである。
【０００７】
本発明の請求項２は、ハット型保持板が複数個の帽筒部を有する請求項１記載のロール状物用容器を内容とする。
【０００８】
本発明の請求項３は、ハット型保持板の鍔部のロール状物と接する側にクッション材を設けた請求項１又は２記載のロール状物用容器を内容とする。
【０００９】
本発明の請求項４は、凹溝からなる支持部が２条の突条筋からなる請求項１〜３のいずれか１項に記載の容器を内容とする。
【００１０】
本発明の請求項５は、凹溝からなる支持部が２条の突条筋と連結部とからなる成形体よりなる請求項１〜３のいずれか１項に記載の容器を内容とする。
【００１１】
【作用】
本発明の容器は、ロール状物の芯管の両端部にハット型保持板を当接した状態で、該保持板を容器本体に設けた凹溝からなる支持部により支持、固定させることによりロール状物を安定的に収容でき、また複数個の支持部のうちから、ロール状物の長さに応じて選択し、ハット型保持板を保持、固定することにより、１種類のサイズの箱で大小サイズの異なるロール状物を安定的に収容することが可能である。
【００１２】
また、ハット型保持板の鍔部のロール状物と接する側にクッション材を設けることにより、輸送時の振動や衝撃を緩和し、ロール状物の端面の損傷が防止される。
【００１３】
ハット型保持板の支持部としては凹溝又は２条の突条筋からなる凹溝が好ましく、特に後者は既製の容器に２条の突条筋を接着剤等を介して接着することにより容易に凹溝を形成することができるので、既製の容器を本発明の容器に変えることが可能である。
【００１４】
【発明の実施の形態】
本発明に使用されるハット型保持板は、ロール状物の芯管を嵌入させるか、又はロール状物の芯管内に嵌入する帽筒部と、その下端から外方に延設された鍔部とから構成される。
ロール状物の芯管は、通常円筒状であるため、帽筒部も通常、円筒状であり、またハット型保持板は、通常矩形状の容器本体に設けた支持部に支持・固定されるので、通常矩形状である。
【００１５】
本発明において、ロール状物とは、芯管（巻芯）の周囲にフィルム、金属箔、紙、クロス等を巻回したものを総称する。
【００１６】
図１は、ハット型保持板の一例を示し、（ａ）は正面図、（ｂ）は（ａ）のＸ−Ｘ断面図である。
同図において、ハット型保持板１は、帽筒部２と、その下端から外方に延設された鍔部３とからなる。
【００１７】
帽筒部２はその突出側２ａをロール状物の芯管の端部内部に嵌入させ、ロール状物の端面を鍔部３の突出側面３ａに当接させるか、又は窪み側２ｂにロール状物の芯管の端部を嵌入させ、ロール状物の端面を鍔部３の窪み側３ｂに当接させて用いられる。
ハット型保持板は合成樹脂、発泡合成樹脂、ボール紙、ハニカムボード、金属、木等から作られる。
【００１８】
図２は帽筒部２の略中央部に凹部４が形成されている。この場合は、帽筒部２の突出側２ａの使い方は図１の場合と同じであるが、窪み側２ｂは、凹部４により形成されるリング状凹部２ｂ内に芯管の端部を嵌入させて使用される。
【００１９】
鍔部３のロール状物の端面と当接する側は、輸送時の振動や衝撃からロール状物の端面が変形したり傷ついたりすることを防ぐため、クッション材を設けるのが好ましい。クッション材としては、ゴム、エラストマー、ポリウレタンやポリエチレン、ポリスチレン等の発泡シートが好ましい。
【００２０】
図３は、図１に示したハット型保持板にクッション材を設けたもので、図３（ａ）はハット型保持板１の鍔部３の窪み側面３ｂに、また図３（ｂ）は鍔部３の突出側３ａに、それぞれクッション材５が貼着されている。１４はロール状物である。
【００２１】
また、図４は、図２に示したハット型保持板にクッション材を設けたもので、図４（ａ）はハット型保持板１の鍔部３の窪み側面３ｂに、また図４（ｂ）は鍔部３の突出側３ａに、それぞれクッション材５が貼着されている。１４はロール状物である。
【００２２】
帽筒部２は複数個設けることができる。複数個設けることにより、複数個のロール状物を同時に１つの容器内に収容し、輸送や保管に供することができる。
図５（ａ）は、水平方向に２個の帽筒部２を設けたハット型保持板１を示し、図５（ｂ）は水平方向に２個、垂直方向に２段に計４個の帽筒部２を設けたハット型保持板１の例を示す。
尚、帽筒部２はロール状物の芯管への嵌入を容易とするために、帽筒部の先端角部にアールを付けて丸くしてもよいし、また先細状にテーパーを付けてもよい。また、帽筒部２の天頂部は除去することもできるが、強度や芯管との嵌合の容易性等からは天頂部は除去しない方が好ましい。
【００２３】
上記したハット型保持板は、２枚のハット型保持板をロール状物の芯管両端に嵌入・当接させた状態で容器内壁に設けた支持部に支持・固定される。
【００２４】
図６は、上記ハット型保持板を備えた本発明の蓋体と容器本体とからなるロール状物用容器において、蓋体を取り除いた状態の容器本体の上面図である。
【００２５】
本発明のロール状物用容器は、蓋体１１（図示せず）と容器本体１２とからなり、該容器本体１２の側壁内側、又は側壁内側と底部内側にハット型保持板１ａ、１ｂの少なくとも２個の凹溝からなる支持部１３ａ、１３ｂが設けられている。ロール状物１４は、その芯管１５の両端部がハット型保持板１ａ、１ｂにより当接された状態で、該保持板１ａ、１ｂが容器本体１２内側に設けた支持部１３ａ、１３ｂにより支持・固定される。支持部１３ａ、１３ｂは側壁内側だけでもよいが、底部内側にも設けることにより、ハット型保持板１ａ、１ｂは一層確実に固定される。
図６に示した容器の場合は、少なくとＸ１、Ｘ２，Ｘ３の３種のサイズのロール状物に適用することができる。
【００２６】
図７は、本発明の容器の他の例を示すもので、ロール状物１４Ａの芯管１５の両端に当接したハット型保持板１ａ、１ｂが容器本体の凹溝からなる支持部１３ａ、１３ｂに支持・固定されている。容器のサイズに比べて、小さいロール状物であっても安定的に収容することができる。
この場合、二点鎖線で示した如く、ロール状物１４Ｂを上記と同様にハット型保持板１ｃ、１ｄに当接して容器本体の凹溝からなる支持部１３ｃ、１３ｄに支承・固定させることにより、長目のロール状物１４Ａと短か目のロール状物１４Ｂとを一つの容器に収容して、輸送や保管に供することができる。
図示した容器の場合、少なくともＹ１．Ｙ２，Ｙ３，Ｙ４の長さの異なるロール状物に適用することが可能である。
【００２７】
図８は、図６で示した容器本体１２において、ハット型保持板１ａ、１ｂの帽筒部２を芯管１５の端部に嵌入させ、凹溝からなる支持部１３ａ、１３ｂに支持・固定させた例を示す。
【００２８】
図９は、図６で示した容器本体１２において、鍔部３のロール状物１４と接する例にクッション材５を設けたハット型保持具１ａ、１ｂを用いた例を示す。
【００２９】
図１０は、図７で示した容器において、鍔部３のロール状物１４と接する例にクッション材５を設けたハット型保持具１ａ、１ｂを用いた例を示す。
【００３０】
図１１は、図８で示した容器において、鍔部３のロール状物１４と接する例にクッション材５を設けたハット型保持具１ａ、１ｂを用いた例を示す。
【００３１】
図１２は、図６で示した容器において、２条の突条筋から形成された凹溝からなる支持部１６ａ、１６ｂにハット型保持板１ａ、１ｂを支持・固定させた例を示す。２条の突条筋は容器本体の成形と同時に形成させることもできるが、既存の容器本体に接着剤等を介して後加工により設けることができる。また、２条の突条筋は、図１３に示すように、２条の突条筋１７を連結部１８により連結したプラスチック等からなる成形体１９として、これを凹溝からなる支持部として用いることもできる。
【００３２】
図１４は、蓋体１１と容器本体１２との関係を示すもので、（ａ）に示すような外嵌型でも、（ｂ）に示すような内嵌型でも、また（ｃ）に示すような折り畳み型のいずれであってもよい。２０はヒンジである。また、容器本体１２も折り畳み可能とし、不使用時に折り畳んで輸送や保管効率を高めるとともに、取り扱いを容易とすることも可能である。
【００３３】
本発明の蓋体、容器本体の素材は特に制限されず、例えばプラスチック、発泡プラスチック、ボール紙、ハニカムボード、木、等公知の素材が全て使用できるが、特にプラスチック、発泡プラスチックが好適である。プラスチックをブロー成形した容器、発泡プラスチックからなる容器は、適度なクッション性と断熱性を備えているので、特にレジストフィルム等のロール状物に好適である。
【００３４】
【発明の効果】
本発明の容器は、ロール状物の芯管の両端部にハット型保持板を当接した状態で、該保持板を容器本体に設けた凹溝からなる支持部に支持、固定させることによりロール状物を安定的に収容できる。また複数個の支持部のうちから、ロール状物の長さに応じて選択し、ハット型保持板を保持、固定することにより、１種類のサイズの箱で大小サイズの異なるロール状物を安定的に収容することが可能であり、極めて効率的且つ経済的である。
【００３５】
また、ハット型保持板の鍔部のロール状物と接する側にクッション材を設けることにより、輸送時の振動や衝撃を緩和し、ロール状物の端面の損傷が防止される。
【００３６】
更に、ハット型保持板の支持部としては凹溝又は２条の突条筋からなるものが好ましく、特に後者は既製の容器に２条の突条筋を接着剤等を介して接着することにより容易に形成することができるので、既製の容器を本発明の容器に変えることが可能である。
【図面の簡単な説明】
【図１】  ハット型保持板の一例を示すもので、（ａ）は正面図、（ｂ）はＸ−Ｘ断面図である。
【図２】  ハット型保持板の他の例を示すもので、（ａ）は正面図、（ｂ）はＹ−Ｙ断面図である。
【図３】  ハット型保持板の他の例を示すもので、（ａ）、（ｂ）とも、鍔部のロール状物と接する側にクッション材を設けた概略断面図である。
【図４】  ハット型保持板の他の例を示すもので、（ａ）、（ｂ）とも、鍔部のロール状物と接する側にクッション材を設けた概略断面図である。
【図５】  ハット型保持板の他の例を示すもので、（ａ）は水平方向に２個の帽筒部を、（ｂ）は水平方向に２個、垂直方向に２個の帽筒部を設けた正面図である。
【図６】  本発明のロール状物用容器の一例を示す概略断面図である。
【図７】  本発明のロール状物用容器の他の例を示す概略断面図である。
【図８】  本発明のロール状物用容器の他の例を示す概略断面図である。
【図９】  本発明のロール状物用容器の他の例を示す概略断面図である。
【図１０】  本発明のロール状物用容器の他の例を示す概略断面図である。
【図１１】  本発明のロール状物用容器の他の例を示す概略断面図である。
【図１２】  本発明のロール状物用容器の他の例を示す概略断面図である。
【図１３】  ２条の突条筋と連結部とからなる成形体よりなる支持部を示す部分斜視図である。
【図１４】  蓋体と容器本体との嵌合状態を示すもので、（ａ）は外嵌型、（ｂ）は内嵌型、（ｃ）は折り畳み型である。
【図１５】  従来のロール状物を収容した容器を示す概略断面図である。
【符号の説明】
１  ハット型保持板
２  帽筒部
２ａ  帽筒部の突出側
２ｂ  帽筒部の窪み側
３  鍔部
３ａ  鍔部の突出側面
３ｂ  鍔部の窪み側面
４  凹部
５  クッション材
１１  蓋体
１２  容器本体
１３、１３ａ、１３ｂ  支持部（凹溝）
１４  ロール状物
１５  芯管
１６、１６ａ、１６ｂ  支持部（２条の突条筋からなる凹溝）
１７  突条筋
１８  連結部
１９  成形体
２０  ヒンジ
２１  芯管
２２  フィルム
２３  ロール状物
２４  段ボール箱
２５  プロテクター
【図１】
0004762449.tif 000002
【図２】
0004762449.tif 000003
【図３】
0004762449.tif 000004
【図４】
0004762449.tif 000005
【図５】
0004762449.tif 000006
【図６】
0004762449.tif 000007
【図７】
0004762449.tif 000008
【図８】
0004762449.tif 000009
【図９】
0004762449.tif 000010
【図１０】
0004762449.tif 000011
【図１１】
0004762449.tif 000012
【図１２】
0004762449.tif 000013
【図１３】
0004762449.tif 000014
【図１４】
0004762449.tif 000015
【図１５】
0004762449.tif 000016